(57)【要約】【課題】上面に熱媒体が流れるパイプ１１を備えて室内の天井に配設される放射パネル４において，この放射パネル４による冷暖房の効果を促進するとともに，前記放射パネルに天井照明の機能を付加する。【解決手段】前記放射パネル４の下面に，適宜間隔Ｐで互いに平行又は実質的に平行に延びる複数本の放熱用フィン１３を一体に設け，この放熱用フィンのうち任意の放熱用フィン間の部分に，複数個の発光ダイオード１４を，前記放熱用フィンの長手方向に沿って適宜ピッチＳの間隔で配設する。【選択図】図３
2014122787.tif 000002
【特許請求の範囲】
【請求項１】
上面に熱媒体が流れるパイプを備えて室内の天井に配設される放射パネルにおいて，
前記放射パネルの下面には，適宜間隔で互いに平行又は実質的に平行に延びるように構成した複数本の放熱用フィンが下向きに突出するように設けられ，この放熱用フィンのうち任意の放熱用フィン間の部分には，複数個の発光ダイオードが，前記放熱用フィンの長手方向に沿って適宜ピッチの間隔で配設されていることを特徴とする天井照明の機能を備えた天井用放射パネル。
【請求項２】
前記請求項１の記載において，前記放熱用フィンのうち少なくとも前記発光ダイオードに隣接する放熱用フィンには，横向きに突出するリップが，放熱用フィンの長手方向に延びるように設けられていることを特徴とする天井照明の機能を備えた天井用放射パネル。
【請求項３】
前記請求項１又は２の記載において，前記発光ダイオードは，前記放射パネル又は前記放熱用フィンに取付けられていることを特徴とする天井照明の機能を備えた天井用放射パネル。
【請求項４】
前記請求項１又は２の記載において，前記放射パネルの下面のうち任意の放熱用フィン間の部分には，凹み溝が前記放熱用フィンの長手方向に延びるように設けられ，前記発光ダイオードは，前記凹み溝内に取付けられていることを特徴とする天井照明の機能を備えた天井用放射パネル。
【請求項５】
前記請求項２の記載において，前記発光ダイオードは，前記リップの上面に取付けられていることを特徴とする天井照明の機能を備えた天井用放射パネル。
【請求項６】
前記請求項１の記載において，前記放熱用フィンは，前記放射パネルの下面から下向きに突出する板状の断面形状で，前記放射パネルの下面に対して傾斜しており，この傾斜する放熱用フィンと前記放射パネルとで囲われた部分に，前記発光ダイオードが配設されていることを特徴とする天井照明の機能を備えた天井用放射パネル。
【請求項７】
前記請求項６の記載において，前記傾斜する放熱用フィンには，横向きに突出するリップが設けられていることを特徴とする天井照明の機能を備えた天井用放射パネル。
【請求項８】
前記請求項６又は７の記載において，前記発光ダイオードは，前記放射パネル又は前記傾斜する放熱用フィン或いはリップの上面に取付けられていることを特徴とする天井照明の機能を備えた天井用放射パネル。
【発明の詳細な説明】
【技術分野】
【０００１】
本発明は，事務室，ロビー又はホール等のような室内における冷暖房を行うために，天井に設置される放射パネルであって，特に，天井照明の機能を備えた天井用放射パネルに関するものである。
【背景技術】
【０００２】
最近，室内の冷暖房には，先行技術としての特許文献１，２及び３等に記載されているように，室内における天井にアルミニウム等のような良熱伝導性材料にて平面板に構成して成る放射パネルを配設し，この放射パネルを，その上面に設けたパイプ内を流れる熱媒体にて冷却するか，或いは暖めるという方式が採用されている。
【先行技術文献】
【特許文献】
【０００３】
【特許文献１】特開平０７−０１９５３３号公報
【特許文献２】特開平０９−１８４６４２号公報
【特許文献３】特開２００６−１７０５５１号公報
【特許文献４】特開２００３−０９２００９号公報
【発明の概要】
【発明が解決しようとする課題】
【０００４】
しかし，前記先行技術における放射パネルの下面は，単なる平ら平面であるに過ぎず，室内における空気との接触面積，つまり放射面積は，前記放射パネルにおける下面の面積を越えることがないから，冷暖房効果の達成が不十分であった。
【０００５】
しかも，前記放射パネルは平面であるために，天井における意匠的効果が低いばかりか，前記放射パネルのそり変形が大きいという問題がある。
【０００６】
また，室内の天井に照明装置を設置する場合，前記放射パネルの下面における放射面積は，この天井照明装置の分だけ縮小されることになる。
【０００７】
一方，別の先行技術としての特許文献４には，発光ダイオード（ＬＥＤ）の複数を使用した面照明装置が開示されており，この面照明装置を，天井に設置することにより，発光ダイオードにて天井照明にすることができる。
【０００８】
また，前記特許文献４における面照明装置は，平面板における表面に，発光ダイオードの複数をマトリックに並べて搭載する一方，前記平面板における裏面に，冷却水の通路を設けるという構成にしていることにより，前記各発光ダイオードを常時冷却することができる。
【０００９】
しかし，多数個の発光ダイオードを平面板の下面に設けて天井照明にした場合，天井を仰ぎ見たときに，前記多数個の発光ダイオードの全てから強い指向性のもとで発射される光が，この強い指向性のままで同時（一斉）に視界に入って来ることになるから，全体としては極めて眩しい点発光のような状態になり，柔らかな面発光による天井照明にすることができないのであった。
【００１０】
本発明は，前記先行技術の天井用放射パネルが有する問題を解消しながら，これに，面照明に近い状態にした天井照明の機能を付与することを技術的課題とするものである。
【課題を解決するための手段】
【００１１】
この技術的課題を達成するため請求項１は，
「上面に熱媒体が流れるパイプを備えて室内の天井に配設される放射パネルにおいて，
前記放射パネルの下面には，適宜間隔で互いに平行又は実質的に平行に延びるように構成した複数本の放熱用フィンが下向きに突出するように一体に設けられ，この放熱用フィンのうち任意の放熱用フィン間の部分には，複数個の発光ダイオードが，前記放熱用フィンの長手方向に沿って適宜ピッチの間隔で配設されている。」
ことを特徴としている。
【００１２】
請求項２は，
「前記請求項１の記載において，前記放熱用フィンのうち少なくとも前記発光ダイオードに隣接する放熱用フィンには，横向きに突出するリップが，放熱用フィンの長手方向に延びるように設けられている。」
ことを特徴としている。
【００１３】
請求項３は，
「前記請求項１又は２の記載において，前記発光ダイオードは，前記放射パネル又は前記放熱用フィンに取付けられている。」
ことを特徴としている。
【００１４】
請求項４は，
「前記請求項１又は２の記載において，前記放射パネルの下面のうち任意の放熱用フィン間の部分には，凹み溝が前記放熱用フィンの長手方向に延びるように設けられ，前記発光ダイオードは，前記凹み溝内に取付けられている。」
ことを特徴としている。
【００１５】
請求項５は，
「前記請求項２の記載において，前記発光ダイオードは，前記リップの上面に取付けられている。」
ことを特徴としている。
【００１６】
請求項６は，
「前記請求項１の記載において，前記放熱用フィンは，前記放射パネルの下面から下向きに突出する板状の断面形状で，前記放射パネルの下面に対して傾斜しており，この傾斜する放熱用フィンと前記放射パネルとで囲われた部分に，前記発光ダイオードが配設されている。」
ことを特徴としている。
【００１７】
請求項７は，
「前記請求項６の記載において，前記傾斜する放熱用フィンには，横向きに突出するリップが設けられている。」
ことを特徴としている。
【００１８】
請求項８は，
「前記請求項６又は７の記載において，前記発光ダイオードは，前記放射パネル又は前記傾斜する放熱用フィン或いはリップの上面に取付けられている。」
ことを特徴としている。
【発明の効果】
【００１９】
請求項１によると，放射パネルの下面に複数本の放熱用フィンを一体に設けたことにより，室内における空気との接触面積，つまり放射面積を大幅に増大できるから，冷暖房の効果を確実に達成できるのであり，しかも，複数本の放熱用フィンを一体に設けたことに
より，前記放射パネルのそり変形を低減できるとともに，前記複数本の放熱用フィンが横縞又は縦縞の模様になるから，天井における意匠的効果を向上できる。
【００２０】
そして，前記放熱用フィン間の部分に配設した複数個の発光ダイオードは，天井照明を行う。
【００２１】
この場合において，前記発光ダイオードは前記放熱用フィン間の部分に配設されていることにより，前記放射パネルにて構成される天井を，前記放熱用フィンと直角の方向から仰ぎ見たときに，当該天井のうち視点の略真上を除く領域においては，視点に対して発光ダイオードが前記各放熱用フィンにて覆い隠された状態になり，この覆い隠された発光ダイオードからの強い指向性を有する光は，直接視界に入ることなく，放射パネル及び放熱フィンの表面で下向きに反射して室内を照らすことになる。
【００２２】
これにより，天井のうち視点の略真上を除く領域においては，発光ダイオードから強い指向性で発射される光を，前記放射パネル及び前記放熱用フィンによる冷暖房効果を低下することなく，前記放熱用フィンを利用して柔らかな面発光の状態にすることができるから，前記放射パネルに，面による天井照明の機能を付与することができる。
【００２３】
そして，請求項２に記載したように，前記放熱用フィンのうち少なくとも前記発光ダイオードに隣接する放熱用フィンに，横向きに突出するリップを設けることにより，室内における空気との接触面積，つまり放射面積を，前記放熱用フィンの高さ寸法を高くしたり，或いは，前記放熱用フィンの単位面積当たりの本数を多くすることなく，増大できるのであり，しかも，前記リップにてより多くの発光ダイオードを覆い隠すことができるから，天井を仰ぎ見た場合に，発光ダイオードが覆い隠された状態になる領域，つまり，面による天井照明の状態になる領域を更に拡張することができる。
【００２４】
また，前記発光ダイオードを，請求項３に記載したように，前記放射パネルに取付けるか，又は前記放熱用フィンに取付けることにより，この発光ダイオードが発生した熱を，前記放射パネル又は放熱用フィンにて吸収でき，前記発光ダイオードを，その温度が前記放射パネル又は放熱用フィンに近い温度になるように冷却できるから，前記発光ダイオードを高出力に保つことができるとともに，その耐久性を向上できる。
【００２５】
特に，請求項４に記載した構成にすることにより，室内における空気との接触面積，つまり放射面積を，凹み溝にて拡張できるとともに，発光ダイオードが覆い隠された状態になる領域，つまり，面による天井照明の状態になる領域を，前記凹み溝にて更に拡張することができ，しかも，前記凹み溝の内面を，点発光の光を広範囲に分散する反射面とすることができる。
【００２６】
また，請求項５に記載した構成によると，発光ダイオードを冷却することができるものでありながら，この発光ダイオードを，天井を前記放熱用フィンと直角の方向から仰ぎ見たときにおいてリップにて覆い隠すことができるとともに，前記放熱用フィンと平行の方向から仰ぎ見たときにおいてもリップにて覆い隠すことができるから，面による天井照明を広範囲にわたって確実に達成できる。
【００２７】
次に，請求項６の記載にした構成にすることにより，前記請求項５の場合と同様に，放熱用フィンを傾斜するだけで，発光ダイオードを，天井を前記放熱用フィンと直角の方向から仰ぎ見たときにおいて覆い隠すことができるとともに，前記放熱用フィンと平行の方向から仰ぎ見たときにおいても覆い隠すことができるから，面による天井照明を広範囲にわたって確実に達成できる。
【００２８】
この場合においても，請求項７に記載した構成にすることにより，天井のうち発光ダイオードが放熱用フィンにて覆い隠された状態になる領域を一層増大できる。
【００２９】
また，請求項８の記載にした構成にすることにより，発光ダイオードが発生した熱を，前記放射パネル又は放熱用フィン或いはリップにて吸収でき，前記発光ダイオードを，その温度が前記放射パネル又は放熱用フィン或いはリップに近い温度になるように冷却できるから，前記発光ダイオードを高出力に保つことができるとともに，その耐久性を向上できる。
【図面の簡単な説明】
【００３０】
【図１】室内を示す斜視図である。
【図２】天井を下から見上げたときの図である。
【図３】第１の実施の形態において図２のIII −III 視拡大断面図である。
【図４】放射パネルの分解図である。
【図５】放射パネルの分解斜視図である。
【図６】図３の要部拡大図である。
【図７】第２の実施の形態を示す要部断面図である。
【図８】第３の実施の形態を示す要部断面図である。
【図９】発光ダイオードに対する配線図である。
【図１０】第４の実施の形態を示す要部断面図である。
【図１１】第５の実施の形態を示す要部断面図である。
【図１２】第５の実施の形態の変形例を示す図である。
【図１３】第６の実施の形態に示す要部断面図である。
【図１４】第７の実施の形態を示す要部断面図である。
【図１５】第７の実施の形態の変形例を示す図である。
【発明を実施するための形態】
【００３１】
以下，本発明の実施の形態を，図面について説明する。
【００３２】
図１は，室内を奥の方向に見たときの斜視図であり，図２は，前記室内における天井を下から見上げたときを示しており，図３は，前記図２のIII −III 視拡大断面図で，第１の実施の形態を示している。
【００３３】
これらの図において，符号１は，ビルディング等の建物を示し，この建物１における事務室等の室内２における天井には，天井ユニット３が設けられている。
【００３４】
この天井ユニット３は，図３に示すように，放射パネル４の複数枚を横に並べたものに構成されている。
【００３５】
この放射パネル４は，幅寸法Ｗに比べて長さ寸法Ｌを大幅に長くした長尺状であり，熱伝達性に優れた金属，例えば，アルミニウムの押し出し成形にて製造されるもので，その長手方向の一端縁には開口溝５が，他端縁には嵌め込み片６が各々長手方向に延びるように設けられている。
【００３６】
この放射パネル４の複数枚を，その一端縁における開口溝５に他端縁における嵌め込み片６を嵌め込むようにして並べて配設することにより，前記した天井ユニット３を構成している。
【００３７】
この天井ユニット３における各放射パネル４は，その両端における上面に横向きに延びるように配設した横梁部材７にて互いに連結されているとともに，この各横梁部材７を介して建物１に支持されている。
【００３８】
すなわち，前記各放射パネル４は，図３，図４及び図５に示すように，その各々の上面に一体に設けた一対の鉤型爪片８ａ，８ｂ間に，前記各横梁部材７の下面から下向きに突出した鉤型突起片９を押し込み挿入して係合することにより，前記横梁部材７に対して，その下面に吊り下げるようにして着脱可能に取付けられており，前記各横梁部材７が，前記建物１に取付けられている。
【００３９】
また，前記各放射パネル４の上面には，パイプ受け部１０がその長手方向に延びるように一対に設けられ，このパイプ受け部１０には，パイプ１１が嵌め装着されており，前記各放射パネル４におけるパイプ受け部１０ごとに装着した前記パイプ１１の相互間を，図２に示すように，ジクザク状に接続して，このパイプ１１内に，図示しない装置にて所定の温度（例えば，２３℃）に保持された水等の熱媒体を流して，前記各放射パネル４の表面を前記した温度に維持することにより，前記室内２を，当該室内２の空気との熱交換にて，冷房又は暖房するように構成している。
【００４０】
なお，前記各放射パネル４の上面におけるパイプ１１は，図３，図４及び図５に示すよ
うに，当該パイプ１１が嵌まるパイ受け部１０と前記横梁部材７との間に介挿した押え部材１２により，前記パイ受け部１０に嵌まった状態に固定されている。
【００４１】
そして，前記各放射パネル４の下面には，下向きに突出する構成にした複数本の放熱用フィン１３が，当該放射パネル４における幅方向に沿って適宜間隔Ｐで一体に設けられている。
【００４２】
この各放熱用フィン１３は，互いに平行又は実質的に平行で，放射パネル４の長手方向に延びており，第１の実施の形態においては，図３，図４及び図５に示すように，放射パネル４の下面に対して直角又は直角に近似（実質的に直角）する板状の断面形状に構成されている。
【００４３】
これに対し，第２の実施の形態においては，図７に示すように，前記各放熱用フィンを，半円形断面形状の放熱用フィン１３′に構成している。
【００４４】
なお，この第２の実施の形態は，その放熱用フィン１３′が半円形断面形状であるほかは，第１の実施の形態と同じ構成であることはいうまでもない。
【００４５】
前記したように，前記天井ユニット３を構成する各放射パネル４の下面に，下向きに突出する複数本の放熱用フィン１３，１３′を，長手方向に延びるように一体に設けることにより，室内２における空気との接触面積，つまり放射面積を大幅に増大できるから，冷暖房の効果を確実に達成できるのであり，しかも，複数本の放熱用フィン１３，１３′を一体に設けたことにより，前記放射パネル４におけるそり変形を低減できるとともに，これらの放熱用フィン１３，１３′が横縞又は縦縞の模様になるから，天井における意匠的効果を向上できる。
【００４６】
前記各放熱用フィン１３，１３′のうち任意の放熱用フィン間の部分，例えば，一つの放射パネル４のうち一対の放熱用フィン１３，１３′間の部分には，図２〜図７に示すように，複数個の発光ダイオード１４が，前記放熱用フィン１３，１３′の長手方向に沿って適宜ピッチＳの間隔で配設されている。
【００４７】
前記各発光ダイオード１４は，図６に示すように，例えば，銅等のように熱伝導性に優れた金属材料製の基板（ヒートシンク）１４ａに，発光ダイオードチップ１４ｃとこれをパッケージ（密封）する光透過性の合成樹脂１４ｄとから成る発光部１４ｂを設けて成るという構成であり，具体的には，図６に示すように，前記放射パネル４の下面に，その基板（ヒートシンク）１４ａが密接するように取付けられているか，或いは，図８に示す第３の実施の形態のように，前記放熱用フィン１３の側面に，その基板（ヒートシンク）１４ａが密接するように取付けられている。
【００４８】
更に，前記各発光ダイオード１４は，図９に示すように，直流の電源１６に対して，一方の電気配線１６ａと，アース線になる放射パネル４との間に，並列に接続されている。勿論，交流の電源に対して接続することも可能である。
【００４９】
なお，前記発光ダイオード１４は，図２に示すように，千鳥配列の構成である。
【００５０】
前記放熱用フィン１３，１３′間の部分に配設した前記複数個の発光ダイオード１４は，天井照明を構成する。
【００５１】
この場合，天井ユニット３による天井を，図２に矢印Ａで示すように，前記各放射パネル４における放熱フィン１３，１３′と直角の方向から仰ぎ見たときに，当該天井のうち
視点の略真上を除く領域においては，視点に対して発光ダイオード１４が前記各放熱用フィン１３，１３′にて覆い隠された状態になり，この覆い隠された発光ダイオード１４からの強い指向性を有する光は，直接視界に入ることなく，放射パネル４及び放熱用フィン１３，１３′の表面で下向きに反射して室内を照らすことになる。
【００５２】
これにより，天井のうち視点の略真上を除く領域においては，発光ダイオード１４から強い指向性で発射される光を，前記放射パネル４及び前記放熱用フィン１３，１３′による冷暖房効果を低下することなく，前記放熱用フィン１３，１３′を利用して柔らかな面発光の状態にすることができる。
【００５３】
しかも，前記発光ダイオード１４は，前記放射パネル４の下面に，当該発光ダイオード１４における基板（ヒートシンク）１４ａが密着するように取り付けられているか，前記放熱用フィン１３の側面に，当該発光ダイオード１４における基板（ヒートシンク）１４ａが密着するように取り付けられていることにより，前記発光ダイオード１４が発生した熱は，前記放射パネル４又は放熱用フィン１３，１３′にて吸収されるから，前記発光ダイオード１４を，その温度が前記放射パネル４又は放熱用フィン１３，１３′に近い温度になるように冷却できる。
【００５４】
この場合，前記発光ダイオード１４は，放射パネル４の上面におけるパイプ受け部１０に出来るだけ近い部位に取付けることが，その冷却を促進できる点で好ましい。
【００５５】
また，前記発光ダイオード１４を放射パネル４に対して取付ける場合には，図１０に示す第４の実施の形態のように，放射パネル４に貫通孔１７を穿設し，前記発光ダイオード１４を，その基板（ヒートシンク）１４ａが放射パネル４の上面に密接し，その発光部１４ｂが前記貫通孔１７内に嵌まるようにして取り付けるという構成にすることができる。
【００５６】
この構成によると，発光ダイオード１４を冷却しながら，更に面発光に近似することができる。
【００５７】
次に，図１１及び図１２は，第５の実施の形態を示す。
【００５８】
この第５の実施の形態は，前記放射パネル４の下面における各放熱用フィン１３のうち任意の放熱用フィン間の部分に，凹み溝１８を，放熱用フィン１３の長手方向に延びるように設け，この凹み溝１８内に，前記発光ダイオード１４を，その基板（ヒートシンク）１４ａが前記凹み溝１８内の底面に密着するように取付けるという構成にしたものである（図１１参照）。
【００５９】
この構成によると，室内における空気との接触面積，つまり放射面積を，凹み溝１８にて拡張できるとともに，発光ダイオード１４が覆い隠された状態になる領域，つまり，面による天井照明の状態になる領域を更に拡張することができ，しかも，前記凹み溝１８の内面を，点発光の光を広範囲に分散する反射面とすることができる。
【００６０】
なお，この第５の実施の形態においては，前記図１０に示す第４の実施の形態と同様に，図１２に示すように，前記凹み溝１８の底部に貫通孔１９を穿設し，前記発光ダイオード１４を，その基板（ヒートシンク）１４ａが放射パネル４の上面に密接し，その発光部１４ｂが前記貫通孔１９内に嵌まるようにして取り付けるという構成にすることができる（図１２参照）。
【００６１】
そして，前記放熱用フィン１３を，図３〜図６，図８，図１０，図１１及び図１２に示すように，板状の断面形状に構成した場合には，その下端に，左右横向きに突出するリッ
プ１５を，放熱用フィン１３の長手方向に延びるように，取付けることによって設けるか，或いは，一体に設けるという構成にしている。
【００６２】
この構成にすることにより，室内２における空気との接触面積，つまり放射面積を，前記リップ１５にて増大できるのであり，しかも，前記リップ１５にて，より多くの発光ダイオード１４を覆い隠すことができるから，天井を仰ぎ見た場合に，発光ダイオード１４が覆い隠された状態になる領域，つまり，面による天井照明の状態になる領域を，前記リップ１５にてより広範囲に拡張することができる。
【００６３】
その上，前記リップ１５を設けることで，前記放熱用フィン１３における変形を防止できる。
【００６４】
なお，前記板状断面形状にした放熱用フィン１３は，その下端に左右横向きに突出するリップ１５を一体に設けて逆向きＴ字型にすることに限らず，以下に説明する図１３に示すように，Ｌ字型に構成することができる。
【００６５】
また，前記リップ１５は，全ての放熱用フィン１３に設けることに限らず，前記各放熱用フィン１３のうち少なくとも前記発光ダイオード１４の左右両側又は片側に隣接する放熱用フィン１３に設けるという構成にすることにより，前記した効果を得ることができる。
【００６６】
次に，図１３は，第６の実施の形態を示している。
【００６７】
この第６の実施の形態は，放熱用フィン１３を，板状の断面形状にして，その下端にリップ１５を設ける場合において，前記発光ダイオード１４を，前記リップ１５の上面に，当該発光ダイオード１４における基板（ヒートシンク）１４ａが密接するように取付けるという構成にしたものであり，その他の構成は，前記第１及び第３の実施の形態と同様である。
【００６８】
この構成によると，発光ダイオード１４を冷却することができるものでありながら，この発光ダイオード１４を，天井を図２に矢印Ａで示すように前記放熱用フィン１３と直角の方向から仰ぎ見たときにおいて前記リップ１５にて覆い隠すことができるとともに，天井を図２に矢印Ｂで示すように前記放熱用フィン１３と平行の方向から仰ぎ見たときにおいても前記リップ１５にて覆い隠すことができるから，面による天井照明を更に広範囲にわたって確実に達成できる。
【００６９】
そして，図１４及び図１５は，第７の実施の形態を示している。
【００７０】
この第７の実施の形態は，前記した構成の放射パネル４の下面に板状の断面形状にした放熱用フィン１３″を一体に設けるに際し，この放熱用フィン１３″を，前記放射パネル４の下面に対して適宜角度θに傾斜して，この傾斜する放熱用フィン１３″と前記放射パネル４とで囲われた部分に，前記発光ダイオード１４を配設するという構成にしたものであり，その他の構成は，前記第１の実施の形態と同様である。
【００７１】
この第７の実施の形態によると，発光ダイオード１４を，天井を図２に矢印Ａで示すように前記放熱用フィン１３″と直角の方向から仰ぎ見たときにおいて覆い隠すことができるとともに，天井を図２に矢印Ｂで示すように前記放熱用フィン１３″と平行の方向から仰ぎ見たときにおいても覆い隠すことができるから，面による天井照明を更に広範囲にわたって確実に達成できる。
【００７２】
そして，この第７の実施の形態においては，具体的には，前記発光ダイオード１４を，図１１に示すように，放射パネル４の下面に，当該発光ダイオード１４における基板（ヒートシンク）１４ａが密接するように取付けるか，或いは，図１２に示すように，前記傾斜する放熱用フィン１３″の上面に，当該発光ダイオード１４における基板（ヒートシンク）１４ａが密接するように取付けるという構成にしており，これにより，前記発光ダイオード１４を，その温度が前記放射パネル４又は放熱用フィン１３″の温度になるように確実に冷却できる。
【００７３】
また，第７の実施の形態においても，前記した各実施の形態と同様に，傾斜する放熱用フィン１３″のうち少なくとも前記発光ダイオード前記発光ダイオード１４の左右両側又は片側に連接する放熱用フィン１３に，リップ１５′を一体に設けるという構成にしており，これにより，前記した効果を助長できる。
【符号の説明】
【００７４】
１                      建物
２                      室内
３                      天井ユニット
４                      放射パネル
５                      開口溝
６                      嵌め込み片
７                      横梁部材
１０                    パイプ受け部
１１                    パイプ
１２                    パイプ押え部材
１３，１３′，１３″    放熱用フィン
１４                    発光ダイオード
１４ａ                  発光ダイオードの基板（ヒートシンク）
１４ｂ                  発光ダイオードの発光部
１５，１５′            リップ
１６                    電源
１８                    凹み溝
１７，１９              貫通孔
【図１】
2014122787.tif 000003
【図２】
2014122787.tif 000004
【図３】
2014122787.tif 000005
【図４】
2014122787.tif 000006
【図５】
2014122787.tif 000007
【図６】
2014122787.tif 000008
【図７】
2014122787.tif 000009
【図８】
2014122787.tif 000010
【図９】
2014122787.tif 000011
【図１０】
2014122787.tif 000012
【図１１】
2014122787.tif 000013
【図１２】
2014122787.tif 000014
【図１３】
2014122787.tif 000015
【図１４】
2014122787.tif 000016
【図１５】
2014122787.tif 000017
【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
上面に熱媒体が流れるパイプを備えて天井面を構成する基板と，前記基板の下面に適宜ピッチで下向きに突設した多数の板状の放熱用フィンとから成っており，前記多数の放熱用フィンは平行に配置されていて隣り合った放熱用フィンの間は下向きに開口した溝空間になっており，このため，１枚の基板の下面に多数の溝空間が形成されている構成であって，
前記多数の溝空間のうち任意の溝空間の内面に，複数個の発光ダイオードを，前記放熱用フィンの長手方向に沿って適宜ピッチの間隔で配設することにより，基板の下面部に１つの溝空間を単位としたライン状の照明エリアが設けられている，
照明機能付き天井用放射パネル。
【請求項２】
前記各放熱用フィンは鉛直姿勢になっており，その下端に横向きのリップを一体に設け，前記放熱用フィンの側面に前記発光ダイオードを配設している，
請求項１に記載した照明機能付き天井用放射パネル。
【請求項３】
前記各放熱用フィンの下端に，前記発光ダイオードを搭載し得る幅のリップが片側のみに横向き突設されており，任意の溝空間のリップに，光を上向きに照射するようにして前記発光ダイオードが配設されている，
照明機能付き天井用放射パネル。
【請求項４】
前記放熱用フィンは鉛直線に対して傾斜しており，放熱用フィンのうち基板に向いた側面に前記発光ダイオードを配設している，
請求項１に記載した照明機能付き天井用放射パネル。
【手続補正２】
【補正対象書類名】明細書
【補正対象項目名】全文
【補正方法】変更
【補正の内容】
【発明の詳細な説明】
【技術分野】
【０００１】
本発明は，事務室，ロビー又はホール等のような室内の冷暖房を行うために天井に設置される放射パネルであって，詳細には，天井照明の機能を備えた天井用放射パネルに関するものである。
【背景技術】
【０００２】
最近，室内の冷暖房として，先行技術としての特許文献１，２及び３等に記載されているように，室内における天井にアルミニウム等のような良熱伝導性材料にて平面板に構成して成る放射パネルを配設し，この放射パネルを，その上面に設けたパイプ内を流れる熱媒体にて冷却するか，或いは暖めるという方式が採用されている。
【先行技術文献】
【特許文献】
【０００３】
【特許文献１】特開平０７−０１９５３３号公報
【特許文献２】特開平０９−１８４６４２号公報
【特許文献３】特開２００６−１７０５５１号公報
【特許文献４】特開２００３−０９２００９号公報
【発明の概要】
【発明が解決しようとする課題】
【０００４】
しかし，前記先行技術における放射パネルの下面は，単なる平ら平面であるに過ぎず，室内における空気との接触面積，つまり放射面積は，前記放射パネルにおける下面の面積を越えることがないから，冷暖房効果の達成が不十分であった。
【０００５】
しかも，前記放射パネルは平面であるために，天井における意匠的効果が低いばかりか，前記放射パネルのそり変形が大きいという問題がある。
【０００６】
また，室内の天井に照明装置を設置する場合，前記放射パネルの下面における放射面積は，この天井照明装置の分だけ縮小されることになる。
【０００７】
一方，別の先行技術としての特許文献４には，発光ダイオード（ＬＥＤ）を複数使用した面照明装置が開示されており，この面照明装置を天井に設置することにより，発光ダイオードにて天井照明をすることができる。
【０００８】
また，前記特許文献４における面照明装置は，平面板における表面に，発光ダイオードの複数をマトリックに並べて搭載する一方，前記平面板における裏面に，冷却水の通路を設けるという構成にしていることにより，前記各発光ダイオードを常時冷却することができる。
【０００９】
しかし，多数個の発光ダイオードを平面板の下面に設けて天井照明にした場合，天井を仰ぎ見たときに，前記多数個の発光ダイオードの全てから強い指向性のもとで発射される光が，この強い指向性のままで同時（一斉）に視界に入って来ることになるから，全体としては極めて眩しい点発光のような状態になり，柔らかな面発光による天井照明にすることができないのであった。
【００１０】
本発明は，前記先行技術の天井用放射パネルが有する問題を解消しながら，これに，面照明に近い状態にした天井照明の機能を付与することを技術的課題とするものである。
【課題を解決するための手段】
【００１１】
この技術的課題を達成するため請求項１は，上面に熱媒体が流れるパイプを備えて天井面を構成する基板と，前記基板の下面に適宜ピッチで下向きに突設した多数の板状の放熱用フィンとから成っており，前記多数の放熱用フィンは平行に配置されていて隣り合った放熱用フィンの間は下向きに開口した溝空間になっており，このため，１枚の基板の下面に多数の溝空間が形成されている構成であって，前記多数の溝空間のうち任意の溝空間の内面に，複数個の発光ダイオードを，前記放熱用フィンの長手方向に沿って適宜ピッチの間隔で配設することにより，基板の下面部に１つの溝空間を単位としたライン状の照明エリアが設けられている。
【００１２】
請求項２は，前記請求項１の記載において，前記各放熱用フィンは鉛直姿勢になっており，その下端に横向きのリップを一体に設け，前記放熱用フィンの側面に前記発光ダイオードを配設している。
【００１３】
請求項３は，前記請求項１において，前記各放熱用フィンの下端に，前記発光ダイオードを搭載し得る幅のリップが片側のみに横向き突設されており，任意の溝空間のリップに，光を上向きに照射するようにして前記発光ダイオードが配設されている。
【００１４】
請求項４は，前記請求項１において，前記放熱用フィンは鉛直線に対して傾斜しており，放熱用フィンのうち基板に向いた側面に前記発光ダイオードを配設している。
【００１５】
【００１６】
【００１７】
【００１８】
【発明の効果】
【００１９】
請求項１によると，放射パネルの下面に多数本の放熱用フィンを一体に設けたことにより，室内における空気との接触面積，つまり放射面積を大幅に増大できるから，冷暖房の効果を確実に達成できるのであり，しかも，複数本の放熱用フィンを一体に設けたことにより，前記放射パネルのそり変形を低減できるとともに，前記複数本の放熱用フィンが横縞又は縦縞の模様になるから，天井における意匠的効果を向上できる。
【００２０】
そして，溝空間に配設した複数個の発光ダイオードは，天井照明を行う。
【００２１】
この場合において，前記発光ダイオードは前記放熱用フィンで仕切られた溝空間に配設されていることにより，前記放射パネルにて構成される天井を，前記放熱用フィンと直角の方向から仰ぎ見たときに，当該天井のうち視点の略真上を除く領域においては，視点に対して発光ダイオードが前記各放熱用フィンにて覆い隠された状態になり，この覆い隠された発光ダイオードからの強い指向性を有する光は，直接視界に入ることなく，放射パネル及び放熱フィンの表面で下向きに反射して室内を照らすことになる。
【００２２】
これにより，天井のうち視点の略真上を除く領域においては，発光ダイオードから強い指向性で発射される光を，前記放射パネル及び前記放熱用フィンによる冷暖房効果を低下することなく，前記放熱用フィンを利用して柔らかな面発光の状態にすることができるから，前記放射パネルに，面による天井照明の機能を付与することができる。
【００２３】
請求項２では，各放熱用フィンに横向きのリップを設けることにより，室内における空気との接触面積，つまり放射面積を，前記放熱用フィンの高さ寸法を高くしたり，或いは，前記放熱用フィンの単位面積当たりの本数を多くすることなく，増大できるのであり，しかも，前記リップにてより多くの発光ダイオードを覆い隠すことができるから，天井を仰ぎ見た場合に，発光ダイオードが覆い隠された状態になる領域，つまり，面による天井照明の状態になる領域を更に拡張することができる。
【００２４】
また，本願発明では発光ダイオードは放射パネルに取付けられているため，発光ダイオードで発生した熱は放射パネルにて吸収され，前記発光ダイオードを，その温度が前記放射パネル又は放熱用フィンに近い温度になるように冷却できるから，前記発光ダイオードを高出力に保つことができるとともに，その耐久性を向上できる。
【００２５】
【００２６】
また，請求項３に記載した構成によると，発光ダイオードを冷却することができるものでありながら，この発光ダイオードを，天井を前記放熱用フィンと直角の方向から仰ぎ見たときにおいてリップにて覆い隠すことができるとともに，前記放熱用フィンと平行の方向から仰ぎ見たときにおいてもリップにて覆い隠すことができるから，面発光状の天井照明を確実に達成できる。
【００２７】
次に，請求項４の記載にした構成にすることにより，前記請求項３の場合と同様に，発光ダイオードを，天井を前記放熱用フィンと直角の方向から仰ぎ見たときにおいて覆い隠すことができるとともに，前記放熱用フィンと平行の方向から仰ぎ見たときにおいても覆い隠すことができるから，面発光状の天井照明を確実に達成できる。
【００２８】
請求項４の場合，傾斜した放熱用フィンの下端にリップを設けると，天井のうち発光ダイオードが放熱用フィンにて覆い隠された状態になる領域を一層増大できる。
【００２９】
また，請求項３，４に記載にした構成にすることにより，発光ダイオードが発生した熱を放熱用フィンにて吸収でき，前記発光ダイオードを，その温度が放熱用フィンに近い温度になるように冷却できるから，前記発光ダイオードを高出力に保つことができるとともに，その耐久性を向上できる。
【図面の簡単な説明】
【００３０】
【図１】室内を示す斜視図である。
【図２】天井を下から見上げたときの図である。
【図３】第１の実施の形態において図２のIII −III 視拡大断面図である。
【図４】放射パネルの分解図である。
【図５】放射パネルの分解斜視図である。
【図６】図３の要部拡大図である。
【図７】参考例を示す要部断面図である。
【図８】請求項２に対応した第２の実施の形態を示す要部断面図である。
【図９】発光ダイオードに対する配線図である。
【図１０】第３の実施の形態を示す要部断面図である。
【図１１】第４の実施の形態を示す要部断面図である。
【図１２】第４の実施の形態の変形例を示す図である。
【図１３】請求項３に対応した第５の実施の形態に示す要部断面図である。
【図１４】第６の実施の形態を示す要部断面図である。
【図１５】請求項４に対応した第７の実施の形態の変形例を示す図である。
【発明を実施するための形態】
【００３１】
以下，本発明の実施の形態を，図面について説明する。
【００３２】
図１は，室内を奥の方向に見たときの斜視図であり，図２は，前記室内における天井を下から見上げたときを示しており，図３は，前記図２のIII −III 視拡大断面図で，第１の実施の形態を示している。
【００３３】
これらの図において，符号１は，ビルディング等の建物を示し，この建物１における事務室等の室内２における天井には，天井ユニット３が設けられている。
【００３４】
この天井ユニット３は，図３に示すように，放射パネル４の複数枚を横に並べたものに構成されている。
【００３５】
この放射パネル４は，幅寸法Ｗに比べて長さ寸法Ｌを大幅に長くした長尺状であり，熱伝達性に優れた金属，例えば，アルミニウムの押し出し成形にて製造されるもので，その長手方向の一端縁には開口溝５が，他端縁には嵌め込み片６が各々長手方向に延びるように設けられている。
【００３６】
放射パネル４はその外形を構成する水平状の基板４ａを備えており，この放射パネル４の複数枚を，その基板４ａの一端縁における開口溝５に隣り合った放射パネル４の基板４ａにおける他端縁の嵌め込み片６を嵌め込んで並べて配設することにより，前記した天井ユニット３を構成している。
【００３７】
この天井ユニット３における各放射パネル４は，その両端における上面に横向きに延びるように配設した横梁部材７にて互いに連結されているとともに，この各横梁部材７を介して建物１に支持されている。
【００３８】
すなわち，前記各放射パネル４は，図３，図４及び図５に示すように，基板４ａの上面に一体に設けた一対の鉤型爪片８ａ，８ｂ間に，前記各横梁部材７の下面から下向きに突出した鉤型突起片９を押し込み挿入して係合することにより，前記横梁部材７に対して，その下面に吊り下げるようにして着脱可能に取付けられており，前記各横梁部材７が，前記建物１に取付けられている。
【００３９】
また，前記各放射パネル４における基板４ａの上面には，パイプ受け部１０がその長手方向に延びるように一対に設けられ，このパイプ受け部１０には，パイプ１１が嵌め込み装着されており，前記各放射パネル４におけるパイプ受け部１０ごとに装着した前記パイプ１１の相互間を，図２に示すように，ジグザグ状に接続して，このパイプ１１内に，図示しない装置にて所定の温度（例えば，２３℃）に保持された水等の熱媒体を流して，前記各放射パネル４の表面を前記した温度に維持することにより，前記室内２を，当該室内２の空気との熱交換にて，冷房又は暖房するように構成している。
【００４０】
なお，前記各放射パネル４の上面におけるパイプ１１は，図３，図４及び図５に示すように，当該パイプ１１が嵌まるパイ受け部１０と前記横梁部材７との間に介挿した押え部材１２により，前記パイ受け部１０に嵌まった状態に固定されている。
【００４１】
そして，前記各放射パネル４における基板４ａの下面には，下向きに突出する構成にした複数本（多数本）の放熱用フィン１３が，当該放射パネル４における幅方向に沿って適宜間隔Ｐで一体に設けられており，隣り合った放熱用フィン１３の間は溝空間になっている。
【００４２】
この各放熱用フィン１３は，互いに平行（実質的に平行も含む）で，放射パネル４の長手方向に延びており，第１の実施の形態においては，図３，図４及び図５に示すように，放射パネル４の下面に対して直角又は直角に近似（実質的に直角）する板状の断面形状に構成されている。つまり，放熱用フィンは鉛直姿勢になっている。
【００４３】
なお，図７に示す参考例では，基板４ａに，半円形断面形状の放熱用フィン部１３′を設けている。
【００４４】
【００４５】
前記したように，前記天井ユニット３を構成する各放射パネル４の下面に，下向きに突出する複数本の放熱用フィン１３を，長手方向に延びるように一体に設けたことにより，室内２における空気に対する放射パネル４の接触面積，つまり放射パネル４の放射面積を大幅に増大できるから，冷暖房の効果を確実に達成できるのであり，しかも，複数本の放熱用フィン１３を一体に設けたことにより，前記放射パネル４の反り変形を低減できるとともに，これらの放熱用フィン１３が縦縞の模様になるから，天井における意匠的効果を向上できる。
【００４６】
前記各放熱用フィン１３で構成された溝空間のうちの任意の溝空間における基板４ａの下面には，図２〜図６に示すように，複数個の発光ダイオード１４が，前記放熱用フィン１３の長手方向に沿って適宜ピッチＳの間隔で配設されている。
【００４７】
前記各発光ダイオード１４は，図６に示すように，例えば，銅等のように熱伝導性に優れた金属材料製の基板（ヒートシンク）１４ａに，発光ダイオードチップ１４ｃとこれをパッケージ（密封）した光透過性の合成樹脂１４ｄとから成る発光部１４ｂを設けて成る構成であり，第１の実施の形態では，図６に示すように，前記放射パネル４の下面に，その基板（ヒートシンク）１４ａが密接するように取付けられている。
他方，図８に示す第２の実施の形態では，前記放熱用フィン１３の側面に，その基板（ヒートシンク）１４ａが密接するように取付けられている。
【００４８】
更に，前記各発光ダイオード１４は，図９に示すように，直流の電源１６に対して，一方の電気配線１６ａと，アース線になる放射パネル４との間に，並列に接続されている。勿論，交流の電源に対して接続することも可能である。
【００４９】
なお，前記発光ダイオード１４は，図２に示すように，千鳥配列の構成である。
【００５０】
隣り合った放熱用フィン１３の間の部分に配設した前記複数個の発光ダイオード１４は，天井照明を構成する。
【００５１】
この場合，天井ユニット３による天井を，図２に矢印Ａで示すように，前記各放射パネル４における放熱フィン１３と直角の方向から仰ぎ見たときに，当該天井のうち視点の略真上を除く領域においては，視点に対して発光ダイオード１４が前記各放熱用フィン１３にて覆い隠された状態になり，この覆い隠された発光ダイオード１４からの強い指向性を有する光は，直接視界に入ることなく，放射パネル４及び放熱用フィン１３の表面で下向きに反射して室内を照らすことになる。
【００５２】
これにより，天井のうち視点の略真上を除く領域においては，発光ダイオード１４から強い指向性で発射される光を，前記放射パネル４及び前記放熱用フィン１３による冷暖房効果を低下することなく，前記放熱用フィン１３を利用して柔らかな面発光の状態にすることができる。
【００５３】
しかも，前記発光ダイオード１４は，前記放射パネル４の下面に，当該発光ダイオード１４における基板（ヒートシンク）１４ａが密着するように取り付けられているか，前記放熱用フィン１３の側面に，当該発光ダイオード１４における基板（ヒートシンク）１４ａが密着するように取り付けられていることにより，前記発光ダイオード１４が発生した熱は，前記放射パネル４又は放熱用フィン１３にて吸収されるから，前記発光ダイオード１４を，その温度が前記放射パネル４又は放熱用フィン１３に近い温度になるように冷却できる。
【００５４】
この場合，前記発光ダイオード１４は，放射パネル４の上面におけるパイプ受け部１０に出来るだけ近い部位に取付けることが，その冷却を促進する点で好ましい。
【００５５】
前記発光ダイオード１４を基板４ａに取付ける場合には，図１０に示す第３の実施の形態のように，放射パネル４に貫通孔１７を穿設し，前記発光ダイオード１４を，その基板（ヒートシンク）１４ａが放射パネル４の上面に密接し，その発光部１４ｂが前記貫通孔１７内に嵌まるようにして取り付けるという構成にすることができる。
【００５６】
この構成によると，発光ダイオード１４を冷却しながら，更に面発光に近似させることができる。
【００５７】
図１１及び図１２は，第４の実施の形態を示す。
【００５８】
この第４の実施の形態は，各溝空間のうち任意の溝空間の箇所における基板４ａに，凹み溝１８を，放熱用フィン１３の長手方向に延びるように設け，この凹み溝１８内に，前記発光ダイオード１４を，その基板（ヒートシンク）１４ａが前記凹み溝１８内の底面に密着するように取付けるという構成にしたものである（図１１参照）。
【００５９】
この構成によると，室内における空気との接触面積，つまり放射面積を，凹み溝１８にて拡張できるとともに，発光ダイオード１４が覆い隠された状態になる領域，つまり，面による天井照明の状態になる領域を更に拡張することができ，しかも，前記凹み溝１８の内面を，点発光の光を広範囲に分散する反射面とすることができる。
【００６０】
なお，この第４の実施の形態においては，前記図１０に示した第３の実施の形態と同様に，図１２に示すように，前記凹み溝１８の底部に貫通孔１９を穿設し，前記発光ダイオード１４を，その基板（ヒートシンク）１４ａが放射パネル４の上面に密接し，その発光部１４ｂが前記貫通孔１９内に嵌まるようにして取り付けるという構成にすることができる。
【００６１】
そして，前記放熱用フィン１３を，図３〜図６，図８，図１０，図１１及び図１２に示すように，板状の断面形状に構成して，その下端に，左右横向きに突出するリップ１５を，放熱用フィン１３の長手方向に延びるように一体に設けるという構成にしている。
【００６２】
この構成にすることにより，室内２における空気との接触面積，つまり放射面積を，前記リップ１５にて増大できるのであり，しかも，前記リップ１５にて，より多くの発光ダイオード１４を覆い隠すことができるから，天井を仰ぎ見た場合に，発光ダイオード１４が覆い隠された状態になる領域，つまり，面発光状の天井照明の状態になる領域を，前記リップ１５にてより広範囲に拡張することができる。
【００６３】
その上，前記リップ１５を設けることで，前記放熱用フィン１３の変形を防止できる。
【００６４】
なお，前記板状断面形状にした放熱用フィン１３は，その下端に左右横向きに突出するリップ１５を一体に設けて逆向きＴ字型にすることに限らず，以下に説明する図１３に示すように，Ｌ字型に構成することができる。
【００６５】
また，前記リップ１５は，全ての放熱用フィン１３に設けることに限らず，前記各放熱用フィン１３のうち少なくとも前記発光ダイオード１４の左右両側又は片側に隣接する放熱用フィン１３に設けるという構成にすることにより，前記した効果を得ることができる。
【００６６】
次に，図１３は，第５の実施の形態を示している。
【００６７】
この第５の実施の形態は，放熱用フィン１３を，板状の断面形状にして，その下端にリップ１５を設けた場合において，前記発光ダイオード１４を，前記リップ１５の上面に，当該発光ダイオード１４における基板（ヒートシンク）１４ａが密接するように取付けるという構成にしたものであり，その他の構成は，前記第１及び第２の実施の形態と同様である。
【００６８】
この構成によると，発光ダイオード１４を冷却することができるものでありながら，この発光ダイオード１４を，天井を図２に矢印Ａで示すように前記放熱用フィン１３と直角の方向から仰ぎ見たときにおいて前記リップ１５にて覆い隠すことができるとともに，天井を図２に矢印Ｂで示すように前記放熱用フィン１３と平行の方向から仰ぎ見たときにおいても前記リップ１５にて覆い隠すことができるから，面発光状の天井照明を更に広範囲にわたって確実に達成できる。
【００６９】
そして，図１４及び図１５は，第６，７の実施の形態を示している。
【００７０】
図１４に示す第６の実施の形態は，前記した構成の放射パネル４の下面に板状の断面形状にした放熱用フィン１３″を一体に設けるに際し，この放熱用フィン１３″を，前記放射パネル４の下面に対して適宜角度θに傾斜させて（鉛直線に対して９０−θだけ傾斜させて），この傾斜した放熱用フィン１３″と前記放射パネル４とで囲われた部分における基板４ａの下面に，前記発光ダイオード１４を配設したものであり，その他の構成は，前記第１の実施の形態と同様である。図１５の第７の実施の形態では，発光ダイオード１４は傾斜した放熱用フィン１３″のうち基板４ａに向いた面に配設している。
【００７１】
この第６，７の実施の形態によると，発光ダイオード１４を，天井を図２に矢印Ａで示すように前記放熱用フィン１３″と直角の方向から仰ぎ見たときにおいて覆い隠すことができるとともに，天井を図２に矢印Ｂで示すように前記放熱用フィン１３″と平行の方向から仰ぎ見たときにおいても覆い隠すことができるから，面発光状の天井照明を更に広範囲にわたって確実に達成できる。
【００７２】
第６，７の実施の形態においては，具体的には，前記発光ダイオード１４を，図１１に示すように，放射パネル４の下面に，当該発光ダイオード１４における基板（ヒートシンク）１４ａが密接するように取付けるか，或いは，図１２に示すように，前記傾斜する放熱用フィン１３″の上面に，当該発光ダイオード１４における基板（ヒートシンク）１４ａが密接するように取付けるという構成にしており，これにより，前記発光ダイオード１４を，その温度が前記放射パネル４又は放熱用フィン１３″の温度になるように確実に冷却できる。
【００７３】
また，第７の実施の形態においても，前記した各実施の形態と同様に，傾斜した放熱用フィン１３″にリップ１５′を一体に設けるという構成にしており，これにより，前記した効果を助長できる。
【符号の説明】
【００７４】
１  建物
２  室内
３  天井ユニット
４  放射パネル
５  開口溝
６  嵌め込み片
７  横梁部材
１０  パイプ受け部
１１  パイプ
１２  パイプ押え部材
１３，１３′，１３″  放熱用フィン
１４  発光ダイオード
１４ａ  発光ダイオードの基板（ヒートシンク）
１４ｂ  発光ダイオードの発光部
１５，１５′  リップ
１６  電源
１８  凹み溝
１７，１９  貫通孔
【手続補正３】
【補正対象書類名】図面
【補正対象項目名】図３
【補正方法】変更
【補正の内容】
【図３】
2014122787.tif 000018
【手続補正４】
【補正対象書類名】図面
【補正対象項目名】図４
【補正方法】変更
【補正の内容】
【図４】
2014122787.tif 000019
【手続補正５】
【補正対象書類名】図面
【補正対象項目名】図５
【補正方法】変更
【補正の内容】
【図５】
2014122787.tif 000020
【手続補正６】
【補正対象書類名】図面
【補正対象項目名】図６
【補正方法】変更
【補正の内容】
【図６】
2014122787.tif 000021
【手続補正７】
【補正対象書類名】図面
【補正対象項目名】図７
【補正方法】変更
【補正の内容】
【図７】
2014122787.tif 000022
【手続補正８】
【補正対象書類名】図面
【補正対象項目名】図８
【補正方法】変更
【補正の内容】
【図８】
2014122787.tif 000023
【手続補正９】
【補正対象書類名】図面
【補正対象項目名】図１０
【補正方法】変更
【補正の内容】
【図１０】
2014122787.tif 000024
【手続補正１０】
【補正対象書類名】図面
【補正対象項目名】図１１
【補正方法】変更
【補正の内容】
【図１１】
2014122787.tif 000025
【手続補正１１】
【補正対象書類名】図面
【補正対象項目名】図１２
【補正方法】変更
【補正の内容】
【図１２】
2014122787.tif 000026
【手続補正１２】
【補正対象書類名】図面
【補正対象項目名】図１３
【補正方法】変更
【補正の内容】
【図１３】
2014122787.tif 000027
【手続補正１３】
【補正対象書類名】図面
【補正対象項目名】図１４
【補正方法】変更
【補正の内容】
【図１４】
2014122787.tif 000028
【手続補正１４】
【補正対象書類名】図面
【補正対象項目名】図１５
【補正方法】変更
【補正の内容】
【図１５】
2014122787.tif 000029